(57)【要約】【課題】多様な形状の床材を用いた場合でも、壁際を簡便かつ好適に仕上げられるような敷設方法を提供する。【解決手段】本発明の敷設方法は、点対称かつ線対称かつ各内角が１８０°未満であり、線対称軸上に第１の頂点と第２の頂点を有する複数の六角形床材を、第１の壁面を有する床に敷設する方法であって、複数の六角形床材のそれぞれを、線対称軸が第１の壁面に直交するように方向が揃い、かつ、敷設済み床材の辺に新規敷設床材の辺が接合するように敷設するステップと、第１の壁面と敷設済み床材との間にある壁際敷設予定位置のサイズが六角形床材よりも小さい場合に、六角形床材に外接する長方形の形状を持つ壁際仕上げボードを用いて、新規敷設床材を壁際敷設予定位置のサイズに切断するステップと、を有する。【選択図】図１
2017025548.tif 000002
【特許請求の範囲】
【請求項１】
点対称かつ線対称かつ各内角が１８０°未満であり、線対称軸上に第１の頂点と第２の頂点を有する複数の六角形床材を、第１の壁面を有する床に敷設する方法であって、
前記複数の六角形床材のそれぞれを、前記線対称軸が前記第１の壁面に直交するように方向が揃い、かつ、敷設済み床材の辺に新規敷設床材の辺が接合するように敷設するステップと、
前記第１の壁面と前記敷設済み床材との間にある壁際敷設予定位置のサイズが前記六角形床材よりも小さい場合に、前記六角形床材に外接する長方形の形状を持つ壁際仕上げボードを用いて、前記新規敷設床材を前記壁際敷設予定位置のサイズに切断する第１の切断ステップと、
を有することを特徴とする敷設方法。
【請求項２】
前記六角形床材に外接する長方形は、当該長方形の二組の平行な二辺のうち、一方の組に属する辺は、前記六角形床材の前記第１の頂点と前記第２の頂点の間の距離と同じ第１の長さを有し、他方の組に属する辺は、前記六角形床材の前記線対称軸と平行な二辺の間の幅と同じ第２の長さを有する長方形である
ことを特徴とする請求項１に記載の敷設方法。
【請求項３】
前記第１の切断ステップは、
前記新規敷設床材を、前記新規敷設床材の前記第１の頂点が、前記第１の壁面と平行な方向において隣り合って接する２つの前記敷設済み床材同士が接する線分の端点のうち、前記第１の壁面に近い側の端点と重なるように設置するサブステップと、
前記壁際仕上げボードの前記第２の長さを有する二辺のうち一方が前記第１の壁面に接するように、前記壁際仕上げボードを前記新規敷設床材に重ねるサブステップと、
前記壁際仕上げボードの前記第２の長さを有する二辺のうち、前記第１の壁面に接していない辺に沿った切断位置で前記新規敷設床材を切断するサブステップと、
を有することを特徴とする請求項１または２に記載の敷設方法。
【請求項４】
前記第１の切断ステップは、
前記新規敷設床材を、前記新規敷設床材の前記第２の頂点の隣にある２つの頂点がそれぞれ、前記壁際敷設予定位置に隣接する２つの前記敷設済み床材に共に接する前記敷設済み床材の、前記第１の頂点に隣り合う２つの頂点と重なるように設置するサブステップと、
前記壁際仕上げボードの前記第２の長さを有する二辺のうち一方が前記第１の壁面に接するように、前記壁際仕上げボードを前記新規敷設床材に重ねるサブステップと、
前記壁際仕上げボードの前記第２の長さを有する二辺のうち、前記第１の壁面に接していない辺に沿った切断位置で前記新規敷設床材を切断するサブステップと、
を有することを特徴とする請求項１または２に記載の敷設方法。
【請求項５】
前記複数の六角形床材を、第２の壁面を有する床に敷設する方法であって、
前記複数の六角形床材のそれぞれを、前記線対称軸に直交する方向が前記第２の壁面に直交するように方向が揃い、かつ、前記敷設済み床材の辺に前記新規敷設床材の辺が接合するように敷設するステップと、
前記第２の壁面と前記敷設済み床材との間にある第２の壁際敷設予定位置のサイズが前記六角形床材よりも小さい場合に、前記壁際仕上げボードを用いて、前記新規敷設床材を前記第２の壁際敷設予定位置のサイズに切断する第２の切断ステップと、
をさらに有することを特徴とする請求項１に記載の敷設方法。
【請求項６】
前記六角形床材に外接する長方形は、当該長方形の二組の平行な二辺のうち、一方の組
に属する辺は、前記六角形床材の前記第１の頂点と前記第２の頂点の間の距離と同じ第１の長さを有し、他方の組に属する辺は、前記六角形床材の前記線対称軸と平行な二辺の間の幅と同じ第２の長さを有する長方形であり、
前記第２の切断ステップは、
前記新規敷設床材を前記敷設済み床材と重なるように設置するサブステップと、
前記壁際仕上げボードの前記第１の長さを有する二辺のうち一方が前記第２の壁面に接するように、前記壁際仕上げボードを前記新規敷設床材に重ねるサブステップと、
前記壁際仕上げボードの前記第１の長さを有する二辺のうち、前記第２の壁面に接していない辺に沿った切断位置で前記新規敷設床材を切断するサブステップと、
を有することを特徴とする請求項５に記載の敷設方法。
【請求項７】
前記壁際仕上げボードは、前記複数の六角形床材を重ねて梱包するときに用いられる緩衝ボードである
ことを特徴とする請求項１ないし６のいずれか１項に記載の敷設方法。
【請求項８】
点対称かつ線対称かつ各内角が１８０°未満であり、線対称軸上に第１の頂点と第２の頂点を有する複数の六角形床材に用いる壁際仕上げボードであって、
前記六角形床材に外接する長方形の形状を有し、当該長方形の二組の平行な二辺のうち、一方の組に属する辺は、前記六角形床材の前記第１の頂点と前記第２の頂点の間の距離と同じ第１の長さを有し、他方の組に属する辺は、前記六角形床材の前記線対称軸と平行な二辺の間の幅と同じ第２の長さを有する長方形である
ことを特徴とする壁際仕上げボード。
【発明の詳細な説明】
【技術分野】
【０００１】
本発明は、床材の敷設方法に関し、特に、六角形の床材を壁際において切断および敷設するために好適な壁際仕上げボードを用いる方法に関する。
【背景技術】
【０００２】
建築物の室内のフロアや、公共空間などの広場の床を施工する際に、多数の一定の大きさの床材を所定の規則に従って敷き詰めて、美感を向上させたり、強度などの構造的な性能を満足させたりすることが行われている。このような一定形状の床材として例えば、様々な材質のフロアタイルやフローリング材が存在する。
【０００３】
特許文献１（特開２００３−２１３９１６号公報）には、床材の敷き込み形状決定方法およびそのシステムが開示されている。特許文献１のシステムは、部屋の形状データを元に、正方形の床材を敷き詰めた状態をシミュレートする機能を有する。さらに、壁際からはみ出る部分を持つ床材に関してはその切断位置を決定し、自動的に切断する機構を有する。特許文献１では図３に示すように、正方形床材を想定してシミュレーションおよび切断を行っている。
【０００４】
特許文献２（特開２００４−０１１１４６号公報）には、戸建て住宅や集合住宅のフロアの施工に用いられる、連結や交換が容易に行えるような構造のフローリング材が開示されている。特許文献２にはフローリング材として、正方形または長方形のものが開示されている。
【先行技術文献】
【特許文献】
【０００５】
【特許文献１】特開２００３−２１３９１６号公報
【特許文献２】特開２００４−０１１１４６号公報
【発明の概要】
【発明が解決しようとする課題】
【０００６】
近年、ユーザーの意識が高まり個性ある建築物が求められるようになっている。その結果、美感を高めたりアクセントを付けたりする目的などから、特許文献１にあるような正方形や、特許文献２のようなフローリングで多用される長方形だけでなく、様々な形状の床材が求められている。またそれに伴い、多様な形状の床材ごとの好適な敷設方法が求められている。特に、一定形状の床材を敷き詰める場合、壁際においては敷設対象となる床の広さより床材が大きい場合がある。そこで、床材を適切な大きさに切断して仕上げを行う手法が必要とされている。
【０００７】
本発明は上記課題に鑑みてなされたものである。本発明の目的は、多様な形状の床材を用いた場合でも、壁際を簡便かつ好適に仕上げられるような敷設方法を提供することにある。
【課題を解決するための手段】
【０００８】
本発明は、以下の構成を採用する。すなわち、点対称かつ線対称かつ各内角が１８０°未満であり、線対称軸上に第１の頂点と第２の頂点を有する複数の六角形床材を、第１の壁面を有する床に敷設する方法であって、前記複数の六角形床材のそれぞれを、前記線対称軸が前記第１の壁面に直交するように方向が揃い、かつ、敷設済み床材の辺に新規敷設床材の辺が接合するように敷設するステップと、前記第１の壁面と前記敷設済み床材との
間にある壁際敷設予定位置のサイズが前記六角形床材よりも小さい場合に、前記六角形床材に外接する長方形の形状を持つ壁際仕上げボードを用いて、前記新規敷設床材を前記壁際敷設予定位置のサイズに切断する第１の切断ステップと、を有することを特徴とする敷設方法である。
【０００９】
この構成によれば、新規な六角形形状の床材を提供して美感を向上させる場合に、従来の工法では手間がかかる壁際の部分における切断位置の決定等の仕上げ処理を、専用のボードを用いて簡便かつ正確に実施できる。
【００１０】
上記の敷設方法中、前記六角形床材に外接する長方形は、当該長方形の二組の平行な二辺のうち、一方の組に属する辺は、前記六角形床材の前記第１の頂点と前記第２の頂点の間の距離と同じ第１の長さを有し、他方の組に属する辺は、前記六角形床材の前記線対称軸と平行な二辺の間の幅と同じ第２の長さを有する長方形であっても良い。
【００１１】
また上記の敷設方法中、前記第１の切断ステップは、前記新規敷設床材を、前記新規敷設床材の前記第１の頂点が、前記第１の壁面と平行な方向において隣り合って接する２つの前記敷設済み床材同士が接する線分の端点のうち、前記第１の壁面に近い側の端点と重なるように設置するサブステップと、前記壁際仕上げボードの前記第２の長さを有する二辺のうち一方が前記第１の壁面に接するように、前記壁際仕上げボードを前記新規敷設床材に重ねるサブステップと、前記壁際仕上げボードの前記第２の長さを有する二辺のうち、前記第１の壁面に接していない辺に沿った切断位置で前記新規敷設床材を切断するサブステップと、を有することを特徴とするものであっても良い。
【００１２】
あるいは上記の敷設方法中、前記第１の切断ステップは、前記新規敷設床材を、前記新規敷設床材の前記第２の頂点の隣にある２つの頂点がそれぞれ、前記壁際敷設予定位置に隣接する２つの前記敷設済み床材に共に接する前記敷設済み床材の、前記第１の頂点に隣り合う２つの頂点と重なるように設置するサブステップと、前記壁際仕上げボードの前記第２の長さを有する二辺のうち一方が前記第１の壁面に接するように、前記壁際仕上げボードを前記新規敷設床材に重ねるサブステップと、前記壁際仕上げボードの前記第２の長さを有する二辺のうち、前記第１の壁面に接していない辺に沿った切断位置で前記新規敷設床材を切断するサブステップと、を有することを特徴とするものであっても良い。
【００１３】
このように、六角形床材に外接するサイズの壁際仕上げボードで、上記いずれかの手順に従って施工を行うことにより、壁際敷設予定位置に適した形状の切断片を簡易かつ正確に取得できる。
【００１４】
上記の敷設方法において、以下の構成を採用しても良い。すなわち、前記複数の六角形床材を、第２の壁面を有する床に敷設する方法であって、前記複数の六角形床材のそれぞれを、前記線対称軸に直交する方向が前記第２の壁面に直交するように方向が揃い、かつ、前記敷設済み床材の辺に前記新規敷設床材の辺が接合するように敷設するステップと、前記第２の壁面と前記敷設済み床材との間にある第２の壁際敷設予定位置のサイズが前記六角形床材よりも小さい場合に、前記壁際仕上げボードを用いて、前記新規敷設床材を前記第２の壁際敷設予定位置のサイズに切断する第２の切断ステップと、をさらに有する敷設方法である。
【００１５】
また上記の第２の壁際仕上げにおいて、上記の壁際仕上げボードを使用しつつ、前記第２の切断ステップは、前記新規敷設床材を前記敷設済み床材と重なるように設置するサブステップと、前記壁際仕上げボードの前記第１の長さを有する二辺のうち一方が前記第２の壁面に接するように、前記壁際仕上げボードを前記新規敷設床材に重ねるサブステップと、前記壁際仕上げボードの前記第１の長さを有する二辺のうち、前記第２の壁面に接し
ていない辺に沿った切断位置で前記新規敷設床材を切断するサブステップと、を有する構成としてもよい。
【００１６】
上記の第２の切断ステップによれば、直交する壁面を有する空間に床材を敷設する際に、いずれの方向においても簡易かつ正確な敷設処理が実現できる。
【００１７】
さらに、前記壁際仕上げボードは、前記複数の六角形床材を重ねて梱包するときに用いられる緩衝ボードであっても良い。
この構成によれば、床材梱包用の緩衝ボード（ハードボード）をそのまま仕上げボードとして利用できるため、本発明の効果を低コストで享受できる。
また本発明は、上記の六角形床材に用いる専用の壁際仕上げボードとしても考えられる。
【発明の効果】
【００１８】
本発明によれば、多様な形状の床材を用いた場合でも、壁際を簡便かつ好適に仕上げられるような敷設方法を提供することができる。
【図面の簡単な説明】
【００１９】
【図１】図１（ａ）は、Ｙ方向における敷設方法を説明するフローチャートである。図１（ｂ）は、Ｘ方向における敷設方法を説明するフローチャートである。
【図２】図２（ａ）、（ｂ）は、床材および壁際仕上げボードを示す図である。
【図３Ａ】図３Ａは、Ｙ方向における敷設の様子を説明する図である。
【図３Ｂ】図３Ｂは、Ｙ方向における敷設の様子を説明する別の図である。
【図３Ｃ】図３Ｃは、Ｙ方向における敷設の様子を説明する別の図である。
【図４Ａ】図４Ａは、Ｘ方向における敷設の様子を説明する図である。
【図４Ｂ】図４Ｂは、Ｘ方向における敷設の様子を説明する別の図である。
【図４Ｃ】図４Ｃは、Ｘ方向における敷設の様子を説明する別の図である。
【図５】図５は、実施形態３を説明するための図である。
【発明を実施するための形態】
【００２０】
以下に図面を参照しつつ、本発明の好適な実施の形態について説明する。ただし、以下に記載されている構成部品の寸法、材質、形状およびそれらの相対配置などは、発明が適用される装置の構成や各種条件により適宜変更されるべきものである。よって、この発明の範囲を以下の記載に限定する趣旨のものではない。
【００２１】
［実施形態１］
（本発明の好適な床材形状）
出願人は、ユーザーの多様化する要求に応えるべく、床材形状のバリエーションを鋭意検討した。その結果、図２（ａ）、（ｂ）に示すような六角形の床材を着想するに至った。かかる床材に用いられる六角形は、典型的には以下のように説明できる。すなわち、中心に対称点を持つ点対称な六角形であり、かつ、図中のＹ方向の頂点を結ぶ線を対称軸とする線対称な六角形である。また、いずれの内角も１８０°未満とする。
【００２２】
このような六角形床材には、次のような利点がある。まず、六角形床材を用いた場合、正方形または長方形からなる四角形床材を用いた場合と比べて視覚的な変化に富み、デザイン上のアクセントを付けられる。六角形は四角形と比べて延伸方向が多く、見る者に広がりのある印象を与えるため、公共施設のホールなどある程度の広さを持つ空間に特に好適である。そして、屋内でありながら欧風の屋外の様な解放感あるデザインの床面を演出可能とする。また、小規模の店舗においても、六角形床材の配列によって斜めの導線が形成されるので、心理的な作用により訪れた客が店舗内を自由に動き回るようになる。その
結果、販売を促進させる効果がある。
【００２３】
また図３Ａに示すように、六角形床材のＸ方向に形成された各列を１／２個ずつずらして敷き詰めることで、いわゆるハニカム構造を形成できる。その結果、六角形床材を用いた場合でも正方形または長方形の床材と同様に隙間なく床面を充填できるので、床材同士の目地を埋める必要がほとんどなく、かつ美感の点でも好ましい。なお、実際には床材の加工精度などにより多少のサイズ・形状のばらつきがあり得るが、施工が可能な限りにおいて、本発明はこれを除外するものではない。
【００２４】
これ以降、便宜上、図３ＡのＸ方向に延伸する壁（Ｘ壁１０１）に向かって突出した六角形床材の頂点を「向壁頂点」と呼ぶことがある。またＹ方向に延伸する壁（Ｙ壁１０２）に対向する辺を「向壁辺」と呼ぶことがある。例えば図３Ａの床材１０３ｄにおいては、向壁頂点は符号ＷＡ、向壁辺は符号ＷＳでそれぞれ示される。また図２Ａに示すように、Ｘ壁に突出した頂点から右回りに頂点（１）〜（６）と呼ぶことがある。また頂点（１）と（２）の間の辺を辺（１２）と呼ぶことがある。向壁頂点は本発明の第１の頂点に相当し、点対称中心を挟んで向壁頂点に対向する頂点は第２の頂点に相当する。Ｘ壁は本発明の第１の壁面に相当し、Ｙ壁は本発明の第２の壁面に相当する。
【００２５】
（壁際の仕上げ方法に関する検討）
かかる六角形床材を壁面のある室内などに敷設する場合、壁際の仕上げ方法が問題となる。例えば図３Ａにおいて室内の中央部から順に床材を敷設していったとすると、壁にかからない限りにおいては、隣接する床材と辺を合わせることにより順次施工ができる。しかし、壁のすぐ近くの敷設済み床材（符号１０３ａ〜１０３ｃ）に隣接するように床材を敷設しようとすると、壁の形状に合わせて床材の切断位置を決定する必要がある。このとき、美観上の問題から、壁と床材との隙間を可及的に小さくできるような切断方法が求められる。
【００２６】
なお本明細書でいう「壁面」とは、建物の構造体としての壁には限定されない。ここで言う壁面とは、床材の敷設にあたって障害となり得る程度の垂直方向の高さを有する面状の構造物を指す。例えば、階段やブロック等の段差や、移動できない家具や什器等の部材の垂直面も、本発明の適用対象となる。
【００２７】
床材施工に係る当業者によるこのような六角形床材の壁際仕上げ方法を検討すると、まず通常の定規を用いた施工が考えられる。従来から、壁際の床材を切断する際に巾定規と呼ばれる長方形の器具を用いる方法がある。巾定規には短手方向の巾と長手方向の長さがあり、広く入手可能という利点がある。巾定規を用いる場合まず、壁からの既設の床材までの距離に基づき大まかな切断位置を決定し、必要があれば敷設位置のサイズより少し大きいサイズに粗切りする。そして、巾定規の長手方向の一辺に沿って、床材に目印として線を記入したりケガキを入れたりする。最後に目印にそってカッター等により床材を切断する。
【００２８】
上記の方法では、汎用的なサイズの巾定規が用いられる。そのため、床材自体のサイズに短手方向の長さを加味して切断位置を決定する必要があり、特に図中Ｙ方向における手順が複雑になるおそれがある。また床材の硬度などによっては事前に粗切りを行う必要があり、敷設に要する時間が長くなる可能性がある。
【００２９】
そこで出願人が鋭意検討した結果、上記の六角形床材に応じた形状・サイズの壁際仕上げボードを作成し、それを用いた壁際を施工することを着想するに至った。この壁際仕上げボードは長方形の、六角形床材に外接する形状を持つ。六角形床材の向壁辺およびそれと対向する辺は、長方形の向かい合う二辺と重なる。また六角形床材の向壁頂点およびそ
れと対向する頂点は、長方形の他の向い合う二辺それぞれの中心に位置する。具体的には本発明の壁際仕上げボードは、図２（ａ）、（ｂ）の下側に示される形状である。便宜上、各頂点を頂点Ａ〜頂点Ｄと名付け、頂点を結ぶ各辺を辺ＡＢのように名付ける場合がある。
【００３０】
別の言い方をすると、長方形の二組の平行な二辺のうち、一方の組に属する辺は、六角形床材の第１の頂点と第２の頂点の間の距離と同じ第１の長さを有し、他方の組に属する辺は、六角形床材の線対称軸と平行な二辺の間の幅と同じ第２の長さを有する。例えば図２（ａ）では、第１の長さはｙ１であり、線分（１４）と同じ長さである。第２の長さはｘ１であり、線分（２６）または線分（３５）と同じ長さである。本明細書では、所望の六角形床材に対してこのような関係にある長方形を、その所望の六角形床材に外接する長方形と呼ぶ。
【００３１】
また別の言い方をすると、点対称かつ線対称かつ各内角が１８０°未満の六角形床材に長方形の壁際仕上げボードを重ねたとき、壁際仕上げボードの二組の対向する二辺のうち一方が、六角形床材の線対称軸を挟んで対向する二辺をそれぞれ包含し、二組の対向する二辺のうちもう一方が、六角形床材の線対称軸上に位置する２つの頂点を包含する。なお、床材と同様に、壁際仕上げボードにも加工の際などにサイズ変動が生じる可能性があるが、施工が可能な限りにおいて、本発明はこれを除外するものではない。
【００３２】
（壁際仕上げのフロー）
以下、図１（ａ）のフローチャートおよび図３Ａ〜図３Ｃを用いて、Ｙ方向における施工を説明する。続いて図１（ｂ）のフローチャートおよび図４Ａ〜図４Ｃを用いて、Ｙ方向における施工を説明する。これらのフローでは図２（ａ）に示した形状の六角形床材を用いるが、図２（ｂ）の床材の場合でも同様に施工可能である。
【００３３】
各図において、符号１０１はＸ方向に延伸する壁（Ｘ壁）、符号１０２はＹ方向に延伸する壁（Ｙ壁）を表す。符号１０３ａ〜１０３ｃは、敷設済み床材のうち壁面に近いものを表す。また符号１０４は仕上げ対象床材である。仕上げ対象床材１０４には便宜上色をつけているが、実際には他の床材と同種のものである。符号１０５は壁際仕上げボードである。符号１０６は、壁際における床材の敷設予定位置であり、このサイズが床材のサイズよりも小さいために、床材の切断が必要になるような領域を表す。
【００３４】
＜Ｘ壁際でのＹ方向への敷設＞
図１（ａ）のフローは、室内の中心部から順に六角形床材の敷設を行う時点から開始する。ステップＳ１０１にて、壁に重ならない部分の敷設が終わる。ここまでの施工は、最初に設置した床材を基準として、辺同士、または頂点同士が接するように連続的に新規敷設床材を設置および固定していくことにより、順次実施できる。これにより、図３Ａの敷設済み床材１０３ａ〜１０３ｃが設置される。なお、部屋の中心部から敷設を行わない場合でも、いずれかの壁際において本発明の敷設方法は適用され得る。
【００３５】
図３Ａにおいて床材を順次敷設するとは、床材の線対称軸がＸ壁に直交するように方向が揃い、かつ、敷設済み床材の辺に新規敷設床材の辺が接合するように敷設することを意味する。敷設済み床材の斜め方向に新規敷設床材を配置する場合は図１（ａ）のフローが適用され、Ｘ壁面と平行な方向において隣り合って接する２つの敷設済み床材（たとえば１０３ａと１０３ｂ）の図中上方の辺に新規敷設床材の下方の辺が接合するように配置される。この場合は壁際敷設予定位置１０６のサイズが床材より狭いため、新規敷設床材が切断処理の対象、すなわち以下に述べる仕上げ対象床材となる。
【００３６】
なお、上では床材同士の辺が接合するように順次敷設すると記載したが、頂点同士を合
わせて敷設しても同様の結果が得られる。特に、床材の個体差や敷設時の位置ずれにより辺同士が完全には接合しない場合でも、頂点を目印にして敷設することが可能である。また、本明細書の記載において直交という文言は、必ずしも数学的な厳密さを要求しない。敷設現場の構造、床材の加工精度、作業者の能力などによる多少のばらつきを許容する範囲で直交していれば良い。
【００３７】
Ｓ１０１をより具体的に述べる。まず、各六角形床材の六辺を、向壁頂点またはそれに対向する頂点をいずれかの端点として持つ４種の線分（辺（１２）、辺（３４）、辺（４５）、辺（６１））と、向壁頂点およびそれに対向する頂点を通過する線対称軸と平行な２種の線分（辺（２３）、辺（５６））とに分ける。するとＹ方向への敷設においては、新規敷設床材の辺（３４）を、下列右側の敷設済み床材の辺（６１）に接合し、新規敷設床材の辺（４５）を下列左側の敷設済み床材の辺（１２）に接合する。一方、後述する図１（ｂ）のＳ２０１で説明するＸ方向への敷設においては、新規敷設床材の辺（２３）を同列右側の敷設済み床材の辺（５６）に接合するか、新規敷設床材の辺（５６）を同列左側の敷設済み床材の辺（２３）に接合する。
【００３８】
続いて、壁際敷設予定位置１０６の施工が開始される。ステップＳ１０２にて、仕上げ対象床材１０４が図３Ａに示すような所定の位置に設置される。すなわち、仕上げ対象床材１０４のＸ壁１０１に近い向壁頂点（頂点１０４（１））が、敷設済み床材１０３ａと１０３ｂとが接する線分の端点のうち、Ｘ方向壁面により近い点（頂点１０３ａ（２）、かつ頂点１０３ｂ（６））と重なるような配置を行う。
【００３９】
このとき、仕上げ対象床材１０４の上記向壁頂点から１個おいた位置にある２つの頂点のうち一方（頂点１０４（５））は、敷設済み床材１０３ａの向壁頂点に対向する頂点１０３ａ（４）と重なる。またもう一方（頂点１０４（３））は、敷設済み床材１０３ｂの向壁頂点に対向する頂点（頂点１０３ｂ（４））と重なる。なお便宜上、各敷設済み床材の辺を透視して点線で示す。これらの頂点はそれぞれ、敷設済み床材１０３ｃの頂点１０３ｃ（６）、頂点１０３ｃ（２）でもある。
【００４０】
このような頂点の位置関係を言い換えると、仕上げ対象床材１０４の第２の頂点の隣にある２つの頂点（頂点１０４（３）、頂点１０４（５））はそれぞれ、壁際敷設予定位置１０６に隣接する２つ敷設済み床材１０ａ，１０３ｂに共に接する敷設済み床材１０３ｃの、向壁頂点に隣り合う２つの頂点（頂点１０３ｃ（２）、頂点１０３ｃ（６））に重なる。このように線分の端点ではなく敷設済み床材の頂点を目印にすることにより、床材のサイズ変動や敷設時のズレにより辺同士が完全には接合しない場合でも、床材設置の精度が向上する。
【００４１】
ステップＳ１０３にて、図３Ｂに示すように、壁際仕上げボード１０５を、床材と同じＸ方向長さを持つ辺の一方（辺ＤＡ）がＸ壁に接し、辺ＤＡの隣の二辺（辺ＡＢ、辺ＣＤ）がそれぞれ仕上げ対象床材１０４の二辺（辺１０４（２３）、辺１０４（５６）の一部に重なるように設置する。このステップにおいては、まず壁際仕上げボード１０５を、仕上げ対象床材１０４を覆うように重ねた後、壁の方にずらしても良い。なお便宜上、仕上げ対象床材１０４の辺を透視して一点鎖線で示す。
【００４２】
ステップＳ１０４にて、壁際仕上げボード１０５の壁に接する辺ＤＡに対向する辺（辺ＢＣ）に沿って、仕上げ対象床材１０４の上に、筆記具やケガキ棒などで目印（線Ａ−Ａ’）を引く。そして、目印に沿ってカッター等により切断する。あるいは壁際仕上げボードの辺にそって直接カッターを用いて切断してもよい。これは本発明の第１の切断ステップに相当する。
ステップＳ１０５にて、切断した仕上げ対象床材１０４を、図３Ｃのように敷設する。
上記の処理を繰り返すことにより、Ｘ壁の壁際に床材を敷設できる。
【００４３】
＜Ｙ壁際でのＸ方向への敷設＞
図１（ｂ）のフローは、室内の中心部から順に六角形床材の敷設を行う時点から開始する。ステップＳ２０１にて、壁に重ならない部分の敷設が終わる。これは、図４Ａの敷設済み床材１０３ａ〜１０３ｃに相当する（図中、敷設済み床材１０３ｃは仕上げ対象床材１０４の下に隠れている）。
【００４４】
図１（ｂ）のフローにおいて床材を順次敷設するとは、床材の線対称軸がＸ壁に直交するように方向が揃い、かつ、敷設済み床材の辺のうち線対称軸に平行な辺に、新規敷設床材の辺のうち線対称軸に平行な辺が接合するように敷設することを意味する。言い換えると図１（ｂ）は、床材の線対称軸に直交する軸がＹ壁に直交するような方向に、新規敷設床材を順次設置する際のフローである。図４Ａの場合は敷設済み床材１０３ｃに隣接する壁際敷設予定位置１０６のサイズが床材より狭いため、新規敷設床材が切断処理の対象、すなわち以下に述べる仕上げ対象床材となる。この場合符号１０６は、本発明の第２の壁際敷設予定位置に相当する。
【００４５】
続いて、壁際敷設予定位置１０６の施工が開始される。ステップＳ２０２にて、仕上げ対象床材１０４が図４Ａに示すような所定の位置に設置される。すなわち、仕上げ対象床材１０４が、敷設済み床材１０３ｃの上に重なるような配置を行う。
【００４６】
ステップＳ２０３にて、図４Ｂに示すように、壁際仕上げボード１０５を、一つの辺（辺ＣＤ）が壁に接し、それに対向する辺ＡＢが仕上げ対象床材１０４の上に重なるように設置する。このステップにおいては、まず壁際仕上げボード１０５を、仕上げ対象床材１０４を覆うように重ねた後、壁の方にずらしても良い。なお便宜上、各敷設済み床材の辺を透視して点線で示し、仕上げ対象床材１０４の辺を透視して一点鎖線で示す。
【００４７】
ステップＳ２０４にて、壁際仕上げボード１０５の壁に接していない側の短辺（辺ＡＢ）に沿って仕上げ対象床材１０４の上に目印（線Ｂ−Ｂ’）を設けたのち、切断する。あるいは辺ＡＢに沿って直接カッターを用いてもよい。この処理は本発明における第２の切断ステップに相当する。
ステップＳ２０５にて、切断した仕上げ対象床材１０４を、図４Ｃのように敷設する。
上記の処理を繰り返すことにより、Ｙ壁の壁際に床材を敷設できる。なお、Ｘ方向とＹ方向の敷設は、どのような順で行ってもよい。例えば列ごとまたは行ごとにまとめて敷設しても良いし、Ｘ方向とＹ方向を交互に敷設していっても良い。
【００４８】
（具体的な構成）
続いて、本発明の敷設方法が適用され得る具体的な構成について説明する。本発明は図２に示すような同一形状の床材を壁面を有する空間に多数敷設する構成であれば、適用可能である。また本発明の敷設方法に用いられる壁際仕上げボードは、床材のサイズとの関係が所定の基準を満たしてあれば構わない。従って以下に挙げるのは、本発明の理解を助けるための例示に過ぎない。
【００４９】
まず床材としては、樹脂、陶器、カーペット、絨毯、木材、ブロック、石材、畳などが挙げられる。樹脂製の床材としてはＰＶＣ（ポリ塩化ビニール）などがあり、加工のしやすさや強度、水や油への耐久性などの点で好適である。また、表面に印刷加工やシート加工をすることにより様々な意匠を表現できる。またその他様々な床材も、空間の使用目的、嗜好、費用や入手容易性などの観点から、ユーザーが任意に選択して良い。
【００５０】
次に、六角形床材に外接するサイズの壁際仕上げボードは、床材と同じ材質でも良いし
、異なっていても良い。図２の壁際仕上げボードと床材を重ねたときに、ボードの辺ＡＢ、辺ＣＤに床材の辺（２３）、辺（５６）がそれぞれ含まれ、ボードの辺ＢＣ、辺ＤＡの中央に床材の頂点（４）、頂点（１）がそれぞれ重なるようなサイズであれば構わない。
【００５１】
なお、壁際仕上げボードは、その辺に沿って切断の目印線を引いたり、その辺にカッター等を当てて床材を切断したりする場合がある。そのため、少なくともフチの部分は、ある程度の硬度を持っていることが好ましい。典型的には樹脂、金属、ガラス、木材、硬質の紙材などが用いられる。巾定規などの既存の定規に用いられる材質でも良い。また透明度の高い材質を用いれば、敷設済み床材や仕上げ対象床材を透視しながら施工できるので、作業が容易になる。
【００５２】
さらに、壁際仕上げボードは、床面を上から見たときのサイズが規定を満たす必要があるものの、持ち運びやずらし操作が可能な範囲であれば、高さは問わない。また、ボードの中央部付近に空気を抜くための穴を設けたり、ボードを操作しやすくするための把持部（取っ手、突起など）を設けたりしてもよい。
【００５３】
次に、カッターに関しては、床材の材質に応じたものを用いれば良い。例えばＰＶＣ等の樹脂製床材であれば、汎用的なカッターでも良いし、床の切断に特化したカッターでもよい。また切断前に目印を付けるかどうかや、目印の付け方（例えば筆記具による記入やケガキ処理）についても、材質に応じた手法を採用できる。
【００５４】
床材を床に固定する方法についても、床材と床面の材質、コスト、施工に掛けられる時間、美観などに基づいて任意の手法を採用できる。例えば接着剤やセメントを用いた固定、両面テープを用いた接着、床材自身の重量による固定などが考えられる。また、床材同士を辺が接するように連続的に敷設する際にも、辺同士を接着、はめ込み、目地埋め材を用いた充填などにより固定しても良い。
【００５５】
上記図１（ａ）のフローにおいては、六角形床材の向壁頂点とそれに対向する頂点を結ぶ軸（線対称軸）がＸ壁に直交し、図１（ｂ）のフローにおいては、前記線対称軸と直交する別の線対称軸がＹ壁に直交していた。そして図１（ａ）および（ｂ）を連続して説明していた。しかし本発明は、いずれか一方の方向の敷設のみに適用されても効果を得られる。
【００５６】
（効果）
本発明の敷設方法によれば、仕上げ対象床材１０４を所定の位置に設置する工程と、当該床材の形状に合わせて作成された壁際仕上げボード１０５を用いて切断位置を決定する工程と、当該切断位置において床材を切断する工程のみで適切なサイズの床材を得ることができる。ここで所定の位置は、フローを用いて説明したように、敷設済み床材の頂点や辺を基準として規定される。そのため、器具や定規を別途用意することなく頂点や辺を合わせるだけで、仕上げ対象床材１０４を所定の位置に配置可能である。また、図３Ａ、図４Ａに示すように所定の位置は壁面から近いので、切断位置を精度よく決定できる。
【００５７】
また壁際仕上げボード１０５の位置決めについても、所定の位置に配置された仕上げ対象床材１０４と、壁との位置関係に基づいて決定できる。特に、壁際仕上げボード１０５を仕上げ対象床材１０４に重ねたあとで壁に突き当てるようにずらすという簡明な手法を採用できる。その結果、多様な形状を持つ床材であっても、巾定規などを用いた従来の手法と比べて、床材を切断する目印を正確かつ簡便に設けることができるので、壁際の仕上げを美感よくかつ簡便に実施できる。
【００５８】
［実施形態２］
図２（ａ）、（ｂ）に示した六角形床材は、線対称軸に平行な辺がそれ以外の辺より短い、図では横長に表される形状か、線対称軸に平行な辺がそれ以外の辺より長い、図では縦長に表される形状であった。しかし本発明は、正六角形の床材に対しても適用可能である。これは、正六角形も中心に対称点を持つ点対称な六角形であり、かつ、対向する頂点を結ぶ線を対称軸とする線対称な六角形だからである。また、いずれの内角も１８０°未満である。この場合でも壁際仕上げボードは、六角形床材に外接する形状である。すなわち長方形の二組の平行な二辺のうち、一方の組に属する辺は、六角形床材の第１の頂点と第２の頂点の間の距離と同じ第１の長さを有し、他方の組に属する辺は、六角形床材の線対称軸と平行な二辺の間の幅と同じ第２の長さを有する。そして、図１に示したフローと同様の処理によって壁際を施工できる。
【００５９】
本実施形態によれば、図２（ａ）、（ｂ）とは異なる美感を持った床材を提供可能である。そして本発明の敷設方法によって得られる、少ない工程で簡便に床材を切断して壁際を好適に処理するという利益はそのまま享受できる。
【００６０】
［実施形態３］
本実施形態では、壁際仕上げボードに用いる部材・材質の一例を説明する。同一形状の床材を敷き詰める場合、施工場所まで多量の床材を安全に運搬する必要がある。ここで床材は通常、床に敷き詰める方向（ＸＹ平面）に広がっているのに対して、垂直方向（Ｚ方向）での厚みは著しく少ない。そのため、複数の床材を重ねて束ねることで運搬が容易になる。
【００６１】
図５は、このような床材の運搬時の様子である。ここに示すように、運搬中の衝突やこすれによる破損を防ぐために、向きを揃えて重ねた床材の上部または下部、もしくはその両方に、長方形の緩衝ボードを配置して梱包することがある。緩衝ボードはハードボードとも呼ばれ、床材が他の物品と衝突することによる傷の発生や、結束材によって跡が付くことを防止する働きがある。
【００６２】
ここで緩衝ボードに求められる要件について検討する。まず破損防止の観点からは、ある程度の硬度や衝撃吸収性が必要である。したがって緩衝ボードの材質としては、樹脂、木材、金属、硬質の紙材などが好適だと言える。またサイズの点では、最低限、床材の全体を覆う程度の大きさが必要である。
【００６３】
以上の要件を考えると、緩衝ボードのサイズを、ちょうど床材に重なるサイズの長方形とすることにより、壁際仕上げボードに転用可能であることが分かる。すなわち、緩衝ボードのサイズは、六角形床材に外接するような長方形とする。つまり緩衝ボードの対向する二辺は、六角形床材の線対称軸を挟んで対向する二辺を包含し、かつ線対称軸上の２つの頂点は、緩衝ボードの別の二辺上に位置する。
【００６４】
上記の要件を満たすように緩衝ボードの材質とサイズを決定すれば、そのまま壁際仕上げボードへの転用が可能になる。その結果、少ない工程で簡便に、床材を好適な形状に切断できるという本発明の効果を、低コストで享受することが可能になる。またユーザーにとっては、梱包を解いて緩衝ボードを取り出せばすぐに施工を始められるので、別途仕上げボードを作成等する必要がなく、作業時間の短縮が可能になる。
【００６５】
上記の各実施形態では、出願人らが美感や敷設のしやすさを考慮して設計した所定の形状を持つ六角形床材を、床材に外接する壁際仕上げボードまたは緩衝ボードを用いて、壁を有する空間に敷設する敷設方法について説明した。本発明は、上記の敷設方法に適した壁際仕上げボードとして捉えることもできる。また、所定の形状の床材があるときに、それに適した壁際仕上げボードを作成する方法として捉えることもできる。その他本発明の
目的を損なわない範囲において様々に変形して用いることができる。
【符号の説明】
【００６６】
１０１：Ｘ方向に延伸する壁（第１の壁面）
１０２：Ｙ方向に延伸する壁（第２の壁面）
１０３ａ〜１０３ｄ：敷設済み床材
１０４：仕上げ対象床材（新規敷設床材）
１０５：壁際仕上げボード
１０６：壁際敷設予定位置
【図１】
2017025548.tif 000003
【図２】
2017025548.tif 000004
【図３Ａ】
2017025548.tif 000005
【図３Ｂ】
2017025548.tif 000006
【図３Ｃ】
2017025548.tif 000007
【図４Ａ】
2017025548.tif 000008
【図４Ｂ】
2017025548.tif 000009
【図４Ｃ】
2017025548.tif 000010
【図５】
2017025548.tif 000011
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
点対称かつ線対称かつ各内角が１８０°未満であり、線対称軸上に第１の頂点と第２の頂点を有する複数の六角形床材を、第１の壁面を有する床に敷設する方法であって、
前記複数の六角形床材のそれぞれを、前記線対称軸が前記第１の壁面に直交するように方向が揃い、かつ、敷設済み床材の辺に新規敷設床材の辺が接合するように敷設するステップと、
前記第１の壁面と前記敷設済み床材との間にある壁際敷設予定位置のサイズが前記六角形床材よりも小さい場合に、前記六角形床材に外接する長方形の形状を持つ壁際仕上げボードを用いて、前記新規敷設床材を前記壁際敷設予定位置のサイズに切断する第１の切断ステップと、
を有することを特徴とする敷設方法であって、
前記第１の切断ステップは、
前記新規敷設床材を、前記新規敷設床材の前記第１の頂点が、前記第１の壁面と平行な方向において隣り合って接する２つの前記敷設済み床材同士が接する線分の端点のうち、前記第１の壁面に近い側の端点と重なるように設置するサブステップと、
前記壁際仕上げボードの、前記六角形床材の前記線対称軸と平行な二辺の間の幅と同じ長さを有する二辺のうち一方が前記第１の壁面に接するように、前記壁際仕上げボードを前記新規敷設床材に重ねるサブステップと、
前記壁際仕上げボードの、前記六角形床材の前記線対称軸と平行な二辺の間の幅と同じ長さを有する二辺のうち、前記第１の壁面に接していない辺に沿った切断位置で前記新規敷設床材を切断するサブステップと、
を有することを特徴とする敷設方法。
【請求項２】
点対称かつ線対称かつ各内角が１８０°未満であり、線対称軸上に第１の頂点と第２の頂点を有する複数の六角形床材を、第１の壁面を有する床に敷設する方法であって、
前記複数の六角形床材のそれぞれを、前記線対称軸が前記第１の壁面に直交するように方向が揃い、かつ、敷設済み床材の辺に新規敷設床材の辺が接合するように敷設するステップと、
前記第１の壁面と前記敷設済み床材との間にある壁際敷設予定位置のサイズが前記六角形床材よりも小さい場合に、前記六角形床材に外接する長方形の形状を持つ壁際仕上げボ
ードを用いて、前記新規敷設床材を前記壁際敷設予定位置のサイズに切断する第１の切断ステップと、
を有することを特徴とする敷設方法であって、
前記第１の切断ステップは、
前記新規敷設床材を、前記新規敷設床材の前記第２の頂点の隣にある２つの頂点がそれぞれ、前記壁際敷設予定位置に隣接する２つの前記敷設済み床材に共に接する前記敷設済み床材の、前記第１の頂点に隣り合う２つの頂点と重なるように設置するサブステップと、
前記壁際仕上げボードの、前記六角形床材の前記線対称軸と平行な二辺の間の幅と同じ長さを有する二辺のうち一方が前記第１の壁面に接するように、前記壁際仕上げボードを前記新規敷設床材に重ねるサブステップと、
前記壁際仕上げボードの、前記六角形床材の前記線対称軸と平行な二辺の間の幅と同じ長さを有する二辺のうち、前記第１の壁面に接していない辺に沿った切断位置で前記新規敷設床材を切断するサブステップと、
を有することを特徴とする敷設方法。
【請求項３】
点対称かつ線対称かつ各内角が１８０°未満であり、線対称軸上に第１の頂点と第２の頂点を有する複数の六角形床材を、第１の壁面を有する床に敷設する方法であって、
前記複数の六角形床材のそれぞれを、前記線対称軸が前記第１の壁面に直交するように方向が揃い、かつ、敷設済み床材の辺に新規敷設床材の辺が接合するように敷設するステップと、
前記第１の壁面のすぐ近くの前記敷設済み床材に隣接するように前記六角形床材を敷設しようとするときに、前記第１の壁面と前記敷設済み床材との間にある壁際敷設予定位置のサイズが前記六角形床材よりも小さい場合に、前記六角形床材の形状に応じて、当該六角形床材に外接する長方形の形状を持つ壁際仕上げボードを作成するステップと、
前記壁際仕上げボードを用いて、前記新規敷設床材を前記壁際敷設予定位置のサイズに切断する第１の切断ステップと、
を有することを特徴とする敷設方法であって、
前記第１の切断ステップは、
前記新規敷設床材を、前記新規敷設床材の前記第１の頂点が、前記第１の壁面と平行な方向において隣り合って接する２つの前記敷設済み床材同士が接する線分の端点のうち、前記第１の壁面に近い側の端点と重なるように設置するサブステップと、
前記壁際仕上げボードの、前記六角形床材の前記線対称軸と平行な二辺の間の幅と同じ長さを有する二辺のうち一方が前記第１の壁面に接するように、前記壁際仕上げボードを前記新規敷設床材に重ねるサブステップと、
前記壁際仕上げボードの、前記六角形床材の前記線対称軸と平行な二辺の間の幅と同じ長さを有する二辺のうち、前記第１の壁面に接していない辺に沿った切断位置で前記新規敷設床材を切断するサブステップと、
を有することを特徴とする敷設方法。
【請求項４】
点対称かつ線対称かつ各内角が１８０°未満であり、線対称軸上に第１の頂点と第２の頂点を有する複数の六角形床材を、第１の壁面を有する床に敷設する方法であって、
前記複数の六角形床材のそれぞれを、前記線対称軸が前記第１の壁面に直交するように方向が揃い、かつ、敷設済み床材の辺に新規敷設床材の辺が接合するように敷設するステップと、
前記第１の壁面のすぐ近くの前記敷設済み床材に隣接するように前記六角形床材を敷設しようとするときに、前記第１の壁面と前記敷設済み床材との間にある壁際敷設予定位置のサイズが前記六角形床材よりも小さい場合に、前記六角形床材の形状に応じて、当該六角形床材に外接する長方形の形状を持つ壁際仕上げボードを作成するステップと、
前記壁際仕上げボードを用いて、前記新規敷設床材を前記壁際敷設予定位置のサイズに
切断する第１の切断ステップと、
を有することを特徴とする敷設方法であって、
前記第１の切断ステップは、
前記新規敷設床材を、前記新規敷設床材の前記第２の頂点の隣にある２つの頂点がそれぞれ、前記壁際敷設予定位置に隣接する２つの前記敷設済み床材に共に接する前記敷設済み床材の、前記第１の頂点に隣り合う２つの頂点と重なるように設置するサブステップと、
前記壁際仕上げボードの、前記六角形床材の前記線対称軸と平行な二辺の間の幅と同じ長さを有する二辺のうち一方が前記第１の壁面に接するように、前記壁際仕上げボードを前記新規敷設床材に重ねるサブステップと、
前記壁際仕上げボードの、前記六角形床材の前記線対称軸と平行な二辺の間の幅と同じ長さを有する二辺のうち、前記第１の壁面に接していない辺に沿った切断位置で前記新規敷設床材を切断するサブステップと、
を有することを特徴とする敷設方法。
【請求項５】
点対称かつ線対称かつ各内角が１８０°未満であり、線対称軸上に第１の頂点と第２の頂点を有する複数の六角形床材を、第１の壁面を有する床に敷設する方法であって、
前記複数の六角形床材のそれぞれを、前記線対称軸が前記第１の壁面に直交するように方向が揃い、かつ、敷設済み床材の辺に新規敷設床材の辺が接合するように敷設するステップと、
前記第１の壁面と前記敷設済み床材との間にある壁際敷設予定位置のサイズが前記六角形床材よりも小さい場合に、前記六角形床材に外接する長方形の形状を持つ壁際仕上げボードを用いて、前記新規敷設床材を前記壁際敷設予定位置のサイズに切断する第１の切断ステップと、
を有することを特徴とする敷設方法であって、
前記壁際仕上げボードは、前記複数の六角形床材を重ねて梱包するときに用いられる緩衝ボードである
ことを特徴とする敷設方法。
【請求項６】
前記六角形床材に外接する長方形は、当該長方形の二組の平行な二辺のうち、一方の組に属する辺は、前記六角形床材の前記第１の頂点と前記第２の頂点の間の距離と同じ第１の長さを有し、他方の組に属する辺は、前記六角形床材の前記線対称軸と平行な二辺の間の幅と同じ第２の長さを有する長方形である
ことを特徴とする請求項１ないし５のいずれか１項に記載の敷設方法。
【請求項７】
前記複数の六角形床材を、第２の壁面を有する床に敷設する方法であって、
前記複数の六角形床材のそれぞれを、前記線対称軸に直交する方向が前記第２の壁面に直交するように方向が揃い、かつ、前記敷設済み床材の辺に前記新規敷設床材の辺が接合するように敷設するステップと、
前記第２の壁面と前記敷設済み床材との間にある第２の壁際敷設予定位置のサイズが前記六角形床材よりも小さい場合に、前記壁際仕上げボードを用いて、前記新規敷設床材を前記第２の壁際敷設予定位置のサイズに切断する第２の切断ステップと、
をさらに有することを特徴とする請求項１ないし６のいずれか１項に記載の敷設方法。
【請求項８】
前記六角形床材に外接する長方形は、当該長方形の二組の平行な二辺のうち、一方の組に属する辺は、前記六角形床材の前記第１の頂点と前記第２の頂点の間の距離と同じ第１の長さを有し、他方の組に属する辺は、前記六角形床材の前記線対称軸と平行な二辺の間の幅と同じ第２の長さを有する長方形であり、
前記第２の切断ステップは、
前記新規敷設床材を前記敷設済み床材と重なるように設置するサブステップと、
前記壁際仕上げボードの前記第１の長さを有する二辺のうち一方が前記第２の壁面に接するように、前記壁際仕上げボードを前記新規敷設床材に重ねるサブステップと、
前記壁際仕上げボードの前記第１の長さを有する二辺のうち、前記第２の壁面に接していない辺に沿った切断位置で前記新規敷設床材を切断するサブステップと、
を有することを特徴とする請求項７に記載の敷設方法。
【請求項９】
点対称かつ線対称かつ各内角が１８０°未満であり、線対称軸上に第１の頂点と第２の頂点を有する複数の六角形床材に用いる壁際仕上げボードであって、
前記六角形床材に外接する長方形の形状を有し、当該長方形の二組の平行な二辺のうち、一方の組に属する辺は、前記六角形床材の前記第１の頂点と前記第２の頂点の間の距離と同じ第１の長さを有し、他方の組に属する辺は、前記六角形床材の前記線対称軸と平行な二辺の間の幅と同じ第２の長さを有する長方形である
ことを特徴とする壁際仕上げボードであって、
前記壁際仕上げボードは、前記複数の六角形床材を重ねて梱包するときに用いられる緩衝ボードである
ことを特徴とする壁際仕上げボード。